(57)【要約】【課題】設置や収納が容易であり、雛壇だけでなく、他の用途としても使用することが可能な飾り台を提供する。【解決手段】飾り台１０は、設置面から上方に向かって３段の台部２０，３０，４０を備えており、下段となる台部２０が上方（上段）に位置する台部３０の収納空間Ｓ１に収納され、台部４０に対して下段となる台部３０が上方（上段）に位置する台部４０の収納空間Ｓ２に収納されている。収納空間Ｓ１，Ｓ２は、一対の足部３１，４１と足部３１，４１に跨る板部３２，４２とにより形成され、下段の台部２０，３０を収納する。【選択図】図１
0003227790.tif 000002
【実用新案登録請求の範囲】
【請求項１】
上方に向かって２段以上の台部を有するものであり、
２段目以降の前記台部は、一対の足部と前記一対の足部に跨る板部とによる収納空間であり、下段の前記台部を収納する前記収納空間が、それぞれの前記下段の台部を前部の開口部から出し入れ可能に形成された飾り台。
【請求項２】
一段目の前記台部は、前記板部のみから形成された請求項１記載の飾り台。
【請求項３】
前記台部の前面は、おもて面側からうら面側に向かって徐々に厚みが厚くなる三角柱を切り取ったような傾斜面に形成された請求項１または２記載の飾り台。
【請求項４】
前記板部は、奥側から前部に向かって等幅または拡がる形状に形成された請求項１から３のいずれかの項に記載の飾り台。
【考案の詳細な説明】
【技術分野】
【０００１】
本考案は、雛人形などの節句人形や他の人形、置物、写真立てなど、使用者の好みのものが設置できる飾り台に関するものである。
【背景技術】
【０００２】
雛人形は、内裏雛、三人官女、五人囃子などが階段状に形成された雛壇に飾られる。また、端午の節句では、兜の他、鎧や金太郎人形などが飾り台に飾られる。
このような節句人形が飾られる飾り台として、特許文献１に記載されたものが知られている。
【０００３】
特許文献１に記載の人形飾台は、階段状雛壇が設置場所を大きくとるため、室内が狭くなり、組み立てや分解が取扱い面で面倒であることから考案されたものである。この飾り台は、箱構造を呈する人形飾台主体と、人形飾台主体に対して抜差し可能に組み込まれる補助飾板とで形成され、節句人形等の二段飾りを可能とするものである。
そして、補助飾板は、後端折曲部が、桟木の後端に当接してストッパー作用を果たすため、補助飾板それ自体が、人形飾台主体より抜け出すことが無いようになっている。
【先行技術文献】
【特許文献】
【０００４】
【特許文献１】実開昭５７−１９８９８２号公報
【考案の概要】
【考案が解決しようとする課題】
【０００５】
しかし、この特許文献１に記載の人形飾台は、二段しかなく、雛壇として色々な人形を飾りたいと思っても、そういう訳にはいかない。また、補助飾板は、人形飾台から抜けないため、この人形飾台は、雛壇しか使えない。
【０００６】
そこで本考案は、設置や収納が容易であり、雛壇だけでなく、他の用途としても使用することが可能な飾り台を提供することを目的とする。
【課題を解決するための手段】
【０００７】
本考案の飾り台は、上方に向かって２段以上の台部を有するものであり、２段目以降の前記台部は、一対の足部と前記一対の足部に跨る板部とによる収納空間であり、下段の前記台部を収納する前記収納空間が、それぞれの前記下段の台部を前部の開口部から出し入れ可能に形成されたことを特徴としたものである。
【０００８】
本考案の飾り台によれば、一対の足部と前記足部に跨る板部とによる収納空間に、下段の台部を上段の台部に収納することで、コンパクトにまとめることができ、ずらして階段状に設置することで雛壇として使用できるだけでなく、それぞれ別個に設置することで、それぞれの台部にそれぞれ違う場所に設置して、好きな置物を設置することで、個々の台部として使用することができる。
【０００９】
一段目の前記台部は、前記板部のみから形成されたものとすることができる。１段目の台部が、板部のみで、足部を有していないため、２段目以降の台部の高さを低く抑えることができる。
【００１０】
前記台部の前面は、おもて面側からうら面側に向かって徐々に厚みが厚くなる三角柱を切り取ったような傾斜面に形成されたものとすることができる。そうすることにより、板部の下に手を入れ、台部を引き出すときに、傾斜面に沿って差し込めば、自然と板部の下に手が入り、板部を掴むことができる。
【００１１】
前記板部は、奥側から前部に向かって等幅または拡がる形状に形成されたものとすることができる。板部が、奥側から前部に向かって等幅または拡がる形状に形成されていることで、台部を前部の開口部から引き出す際に、支障なく引き出すことができる。
【考案の効果】
【００１２】
本考案の飾り台によれば、雛壇として使用でき、それぞれ別個に設置して使用することができるため、設置や収納が容易であり、雛壇だけでなく、他の用途としても使用することが可能である。
【図面の簡単な説明】
【００１３】
【図１】本考案の実施の形態１に係る飾り台を示す斜視図である。
【図２】図１に示す飾り台を説明するための図であり、（Ａ）は正面図、（Ｂ）は背面図、（Ｃ）は右側面図、（Ｄ）は左側面図、（Ｅ）は平面図、（Ｆ）は底面図である。
【図３】図１に示す飾り台を説明するための図であり、（Ａ）は１段目の台部を示す斜視図、（Ｂ）は２段面の台部を示す斜視図、（Ｃ）は３段目の台部を示す斜視図である。
【図４】図１に示す飾り台の使用状態を説明するための図であり、（Ａ）は雛壇として使用する状態の図、（Ｂ）は、台部を個々に使用する状態の図である。
【図５】図１に示す飾り台の底面図であり、（Ａ）は２段目の台部の底面図、（Ｂ）は３段目の台部の底面図である。
【図６】本考案の実施の形態２に係る飾り台を示す斜視図である。
【考案を実施するための形態】
【００１４】
（実施の形態１）
本考案の実施の形態１に係る飾り台を図面に基づいて説明する。
図１および図２（Ａ）から同図（Ｆ）に示す飾り台１０は、雛壇として使用できるだけでなく、様々な置物の飾り台としても使用できるものである。
飾り台１０は、設置面から上方に向かって３段の台部２０〜４０を備えており、下段となる台部２０が上方（上段）に位置する台部３０に収納され、台部４０に対して下段となる台部３０が上方（上段）に位置する台部４０に収納されている。
【００１５】
本実施の形態１では、３段目の台部４０は、左右方向Ｆ１の長さが約３０ｃｍに形成され、奥行き方向Ｆ２の長さが約１６ｃｍに形成され、高さが約７ｃｍに形成されているが、このサイズは適宜、変更することが可能である。
【００１６】
図３（Ａ）に示す１段目の台部２０は、人形や置物が載置される矩形状の板部２２のみにより構成されている。板部２２は、設置面に置かれる。
板部２２の前面２２ａは、板部２２のおもて面２２ｍ（載置面）からうら面２２ｎ（載置面の反対面）に向かって徐々に厚みが厚くなる三角柱が切り取られたような傾斜面に形成されていることで、面取りされている。
板部２２の左右方向Ｆ１（図１参照）の両方の壁面２２ｂ，２２ｂ（側面）も同様に、おもて面２２ｍ（載置面）からうら面２２ｎ（載置面の反対面）に向かって徐々に厚みが厚くなる三角柱が切り取られたような傾斜面に形成されていることで、面取りされている。
板部２２の背面２２ｃ（図２（Ｂ）および同図（Ｆ）参照）は、垂直面に形成されている。
【００１７】
図３（Ｂ）に示す２段目の台部３０は、設置面に置かれる一対の足部３１と、一対の足部３１の間に跨る板部３２とを備えている。台部３０は、一対の足部３１と板部３２とにより下向きに開いたコ字状に形成されている。板部３２は矩形状に形成されている。
足部３１の前面３１ａ，３１ａは、外側の壁面３１ｂ側から内側の壁面３１ｃ側に向かって徐々に厚みが厚くなる三角柱が切り取られたような傾斜面に形成されていることで、面取りされている。また、板部３２の前面３２ａは、おもて面３２ｍ（載置面）側からうら面３２ｎ（載置面の反対面）に向かって徐々に厚みが厚くなる三角柱が切り取られたような傾斜面に形成されていることで、足部３１と同様に面取りされている。
【００１８】
足部３１の左右方向Ｆ１（図１参照）の外側の壁面３１ｂ，３１ｂと、内側の壁面３１ｃ，３１ｃと、図２（Ｂ）および同図（Ｆ）に示す、足部３１の背面３１ｄと、板部３２の背面３２ｂとは、垂直面に形成されている。
図２（Ａ）に示すように、一対の足部３１により板部３２のうら面３２ｎの位置が、１段目の台部２０より高く形成される。
【００１９】
図３（Ｃ）に示す３段目の台部４０は、２段目の台部３０と同様に、設置面に置かれる一対の足部４１と、一対の足部４１の間に跨る板部４２とを備えている。台部４０は、一対の足部４１と板部４２とにより下向きに開いたコ字状に形成されている。板部４２は矩形状に形成されている。
足部４１の前面４１ａ，４１ａは、外側の壁面４１ｂ側から内側の壁面４１ｃ側に向かって徐々に厚みが厚くなる三角柱が切り取られたような傾斜面に形成されていることで、面取りされている。
【００２０】
板部４２との前面４２ａは、おもて面４２ｍ側からうら面４２ｎ（載置面の反対面）側に向かって徐々に厚みが厚くなる三角柱が切り取られたような傾斜面に形成されていることで、足部４１と同様に面取りされている。
足部４１の左右方向Ｆ１（図１参照）の外側の壁面４１ｂ，４１ｂと、内側の壁面４１ｃ，４１ｃと、図２（Ｂ）および同図（Ｆ）に示す、足部４１の背面４１ｄと、板部４２の背面４２ｂとは、垂直面に形成されている。
図２（Ａ）に示すように、一対の足部４１により板部４２のうら面４２ｎの位置が、２段目の台部３０より高く形成される。
【００２１】
図１に示すように、２段目の台部３０は、一対の足部３１と板部３２と設置面とにより囲まれた空間が、１段目の台部２０を、前部の開口部から前後方向に出し入れすることができる収納空間Ｓ１となる。また、３段目の台部４０は、一対の足部４１と板部４２と設置面とにより囲まれた空間が、１段目の台部２０および２段目の台部３０を、前部の開口部から前後方向に出し入れすることができる収納空間Ｓ２となる。
【００２２】
以上のように構成された本考案の実施の形態１に係る飾り台１０の使用状態を図面に基づいて説明する。
図１に示す飾り台１０は、台部２０を台部３０の収納空間Ｓ１に収納した状態で、台部２０と台部３０を台部４０の収納空間Ｓ２に位置させている。
従って、この状態の飾り台１０は、３段目の台部４０に残りの台部２０，３０が収納された状態であるので、コンパクトにまとめることができる。従って、飾り台１０は、片付けるときに収納場所の確保が容易である。また、この状態の飾り台１０でも、台部４０の板部４２には置物などを載置することができる。
【００２３】
次に、飾り台１０を雛壇として使用するときには、図４（Ａ）に示すように、台部２０と台部３０とを台部４０から引き出す。このとき、２段目の台部３０の後端が３段目の台部４０の前端より前方に少しずれて、２段目の台部３０が３段目の台部４０に重ならないようにしてもよいし、２段目の台部３０の後端が３段目の台部４０の前端より後方へずれて、２段目の台部３０に置物がおける程度に、２段目の台部３０が３段目の台部４０と少し重なっていてもよい。
【００２４】
また、台部２０を台部３０から引き出す。同様にして、１段目の台部２０の後端が２段目の台部３０の前端より前方に少しずれて、１段目の台部２０が２段目の台部３０に重ならないようにしてもよいし、１段目の台部２０の後端が２段目の台部３０の前端より後方へずれて、１段目の台部２０に置物がおける程度に、１段目の台部２０が２段目の台部３０と少し重なっていてもよい。
【００２５】
このように配置することで、飾り台１０は階段状に設置することができるので、簡易な雛壇として使用することができる。
【００２６】
次に、個々の台部２０，３０，４０をそれぞれ別々に使用する場合には、図４（Ｂ）に示すように、それぞれが互いに離間するように引き出し、台部２０，３０，４０を、所望とする場所に設置し、所望とする置物を載置することで、自由に置物を楽しむことができる。
【００２７】
以上のように、本考案の実施の形態１に係る飾り台１０は、下段となる台部２０，３０を上段となる台部４０に収納することで、コンパクトにまとめることができ、ずらして階段状に設置することで雛壇として使用できるだけでなく、それぞれ別個に設置することで、それぞれの台部２０，３０，４０にそれぞれ違う場所に設置して、好きな置物を設置することで、個々の台部として使用することができる。よって、飾り台１０は、設置や収納が容易であり、雛壇だけでなく、他の用途としても使用することが可能である。
【００２８】
また、１段目の台部２０は、板部２２のみより形成されており、足部を有していないため、台部３０，４０の高さを低く抑えることができるので、よりコンパクトなサイズとすることができる。
【００２９】
更に、板部２２，３２，４２の前面２２ａ，３２ａ，４２ａは、おもて面２２ｍ，３２ｍ，４２ｍからうら面２２ｎ，３２ｎ，４２ｎに向かって徐々に厚みが厚くなる三角柱が切り取られたような傾斜面に形成されている。そのため、板部２２，３２，４２の下に手を入れ、台部２０，３０，４０を引き出すときに、傾斜面に沿って差し込めば、自然と板部２２，３２，４２の下に手が入り、板部２２，３２，４２を掴むことができる。従って、台部２０，３０，４０を容易に掴み、引き出すことができる。
【００３０】
なお、図５（Ａ）および同図（Ｂ）に示すように、台部３０，４０における板部３２，４２のうら面３２ｎ，４２ｎの前部に、引き出し用の凹部３２ｔ，４２ｔを形成するようにしてもよい。
そうすることで、凹部３２ｔ，４２ｔに指を掛けることで、更に、台部３０，４０を容易に掴み、引き出すことができる。
【００３１】
本考案の実施の形態２に係る飾り台について、図面に基づいて説明する。
図６に示す飾り台１１は、台部２１，３１，４１の板部２３，３３，４３が台形状に形成されている。そのため、台部３１と台部４１の収納空間Ｓ１，Ｓ２が後部の開口部から前部の開口部に向かって左右方向Ｆ１が拡がる空間に形成されている。
【００３２】
板部２３，３３，４３が台形状に形成されていることで、大判の板材から板部２３，３３，４３を取るときに、向きを互い違いにして大判の板材から切り取ることで、枚数を数多く取ることができる。また、人形や飾り物を飾るときには、人形が奥側、飾り物が前側に置かれるため、後部より前部の方が広い台形状であると、板部２３，３３，４３の広さを有効に無駄なく使用することができる。
【００３３】
実施の形態１では、板部２２，３２，４２が矩形状に形成され、実施の形態２では、板部２３，３３，４３では、台形状に形成されているが、後部（奥部）から前部に向かって等幅、または拡がるような形状であれば、三角形状や異形状であっても、足部３１，４１に引っ掛かることなく、収納空間から引き出すことができる。
【産業上の利用可能性】
【００３４】
本考案は、雛人形などの節句人形や他の人形、置物、写真立てなど、使用者の好みのものが設置できる飾り台に好適である。
【符号の説明】
【００３５】
１０，１１  飾り台
２０，２１，３０，３１，４０，４１  台部
２２，２３，３２，３３，４２，４３  板部
２２ａ，３２ａ，４２ａ  前面
２２ｂ  壁面
２２ｃ，３２ｂ，４２ｂ  背面
２２ｍ，３２ｍ，４２ｍ  おもて面
２２ｎ，３２ｎ，４２ｎ  うら面
３２ｔ，４２ｔ  凹部
３１，４１  足部
３１ａ，４１ａ  前面
３１ｂ，３１ｃ，４１ｂ，４１ｃ  壁面
３１ｄ，４１ｄ  背面
Ｆ１  左右方向
Ｆ２  奥行き方向
Ｓ１，Ｓ２  収納空間
【図１】
0003227790.tif 000003
【図２】
0003227790.tif 000004
【図３】
0003227790.tif 000005
【図４】
0003227790.tif 000006
【図５】
0003227790.tif 000007
【図６】
0003227790.tif 000008